(57)【要約】【課題】傘使用後をブッシング組に収納して置き、傘の残留水滴により床面の濡れや滑りまたは汚れを防止され、傘具とブッシング組はそれぞれ独立に干すことが可能のほか、ブッシング組は他の物品収納に使用できるブッシング組と傘とを備えた傘組を提供する。【解決手段】ブッシング組にブッシングを設け、ブッシングに収容空間を内設し、ブッシングの一端に接続部を設け、接続部を外部蓋に接続し、外部蓋の内縁部を接続部の外縁部に被せる。傘は本体を有し、本体の一辺は把手を設け、把手に取付け部を備え、取付け部は本体の他辺に把持部を延設し、取付け部の外縁部はブッシングの接続部の内縁部に接続される。【選択図】図２
0003163630.tif 000002
【実用新案登録請求の範囲】
【請求項１】
ブッシング組と傘とを備えた傘組において、
前記ブッシング組にブッシングを設け、前記ブッシングに収容空間を内設し、前記ブッシングの一端に接続部を設け、前記接続部に外部蓋を接続し、前記外部蓋の内縁部を前記接続部の外縁部に被せ、
前記傘に本体を設け、前記本体の一辺は把手に接続され、前記把手は取付け部を備え、前記取付け部は前記本体の遠端に把持部を延在させ、前記取付け部の外縁部を前記ブッシングの前記接続部の内縁部に接続する、ように構成されることを特徴とする傘組。
【請求項２】
前記接続部の外縁部は間隔を置いて第１係合溝を凹設し、内縁部は間隔を置いて第１位置決めリブを設け、前記外部蓋の内縁部は間隔を置いて前記第１係合溝に係合する第２位置決めリブを凸設し、前記取付け部の外縁部は間隔を置いて前記第１位置決めリブに係合する第２係合溝を凹設する、ように構成されることを特徴とする請求項１記載の傘組。
【請求項３】
前記ブッシング組と前記外部蓋の外縁部は、それぞれ固定シートを凸設し、前記固定シートはつなぎ縄によって串刺し接続される、ように構成されることを特徴とする請求項１記載の傘組。
【請求項４】
前記接続部の外縁部に雄ねじを設け、前記外部蓋の内縁部に雌ねじを設ける、ように構成されることを特徴とする請求項１記載の傘組。
【考案の詳細な説明】
【技術分野】
【０００１】
本考案は一種の傘組に関し、特に一種のブッシング組と傘を備え、傘はブッシング組に収納自在であり、傘の残留水滴による床面の濡れや滑りまたは汚れを防止でき、傘具とブッシング組はそれぞれ独立に干すことが可能のほか、ブッシング組は他の物品収納に使用可能な傘組に関する。
【背景技術】
【０００２】
雨の日で濡れた傘を室内に持ち込むとき、傘に残った水滴が床面を濡らして滑り、または汚れる。これを防止するために、現時点では、プラスチック製のバッグを傘の外部に被せて傘の残留水滴の滴下を防止する方法が一番多く使われている。しかし、プラスチックバッグは使い捨て式であり環境保護に相反する。よって、業者は傘の先端部に伸縮式のカップカバーを取付けて、傘を閉じ後に、伸縮式のカップカバーを引き下げて雨水の滴下を防止するようにしていた。
【考案の概要】
【考案が解決しようとする課題】
【０００３】
しかしながら、この種の方法は直骨傘しか適用することができず、折り畳み傘にはこの種の伸縮式のカップカバーは使用できない。さらに、この種の伸縮式のカップカバーは傘の先端部より取り外すことができない。よって、傘を干すときに、カップカバーは閉合状態にあるため、カップカバーの内部に湿気が残り、使用者に不快感を与える。
【課題を解決するための手段】
【０００４】
本考案の主な目的は、ブッシング組により傘を収納し、傘使用後をブッシング組に収納させ、傘に残った水滴が床面を濡らして、滑りまたは汚れるのを防止することができる傘組を提供することにある。
また、本考案の別の目的は、分離式のブッシング組と傘を利用し、傘とブッシング組を別々に干すことにより完全に乾燥できるほか、ブッシング組は他の物品収納に使用できる傘組を提供することにある。
【０００５】
前述目的を達成するため、本考案の傘組は、ブッシング組と傘とを備える。ブッシング組にブッシングを設け、ブッシングに収納空間を内設し、ブッシングの一端に接続部を設け、接続部を外部蓋につなぎ、外部蓋の内縁部を接続部の外縁部に被せる。傘は本体を備え、本体の一辺を把手に接続し、把手に固定部を備え、固定部は本体の他辺に把持部を延在させ、固定部の外縁部をブッシングの接続部の内縁部に接続する、ように構成される。
【考案の効果】
【０００６】
下記説明の通り、本考案が公知技術の不足点と欠点を解決し得る主な技術手段を以下の通り説明する。
【０００７】
イ、       本考案は分離式のブッシング組１と傘２により、ブッシング組１は各種の傘２に適用できる。傘２を使用した後にブッシング組１に収納し、傘２傘に残った水滴が床面を濡らすや滑り、または汚れを防止できる。
【０００８】
ロ、       本考案は分離式のブッシング組１と傘２を利用し、傘２とブッシング組１を別々に干すことにより完全に乾燥できるほか、ブッシング組１は他の物品収納に使用できる。
【０００９】
ハ、       本考案は傘２の第２係合溝２２１１をブッシング組１の第１位置決めリブ１１２２に係合させ、傘２をブッシング１１内部において固定状態を形成し、ブッシング組１内部にぐらつきしない。
【図面の簡単な説明】
【００１０】
【図１】本考案の立体外観図である。
【図２】本考案の立体分解図である。
【図３】本考案の動作態様図(その１)である。
【図４】本考案の局所の立体分解図である。
【図５】本考案の動作態様図(その２)である。
【図６】本考案の局所の断面態様図である。
【図７】本考案もう一つ実施例の動作概略図である。
【考案を実施するための形態】
【００１１】
以下、添付図面を参照して本考案の実施の形態を詳細に説明する。
【実施例】
【００１２】
図１ないし図４を参照し、図から明かのように、本考案による傘組は、ブッシング組１と、傘２と設けられている。
【００１３】
そのうち、ブッシング組１にブッシング１１と外部蓋１２とを設けられ、ブッシング１１に収納空間１１１を内設する。ブッシング１１の一端に接続部１１２を設け、接続部１１２の外縁部に間隔を置いて、第１係合溝１１２１が凹設され、内縁部に間隔を置いて、第１位置決めリブ１１２２を凸設され、外部蓋１２の内縁部に間隔を置いて、第２位置決めリブ１２１を凸設され、ブッシング組１１と外部蓋１２の外縁部にそれぞれ固定シート１３を凸設され、固定シート１３をつなぎ縄１４で串刺す。
【００１４】
傘２は本体２１を備え、本体２１の一辺に把手２２を接続され、把手２２は取付け部２２１を有し、取付け部２２１は本体２１の他辺に把持部２２２が延設され、取付け部２２１の外縁部に間隔を置いて、第２係合溝２２１１を凹設する。
【００１５】
図１ないし６を参照する。本考案の傘２をブッシング組１に収納するとき、まず傘２の本体２１をブッシング１１の収容空間１１１に装入させ、傘２の取付け部２２１をブッシング１１の接続部１１２に近付けさせる。このとき、取付け部２２１を接続部１１２に押し込みながら回すことにより、取付け部２２１の外縁部の第２係合溝２２１１を接続部１１２の内縁部の第１位置決めリブ１１２２に係合させ、傘２をブッシング１１内部に固定状態を形成させた上、外部蓋１２をブッシング１１の接続部１１２被せて、外部蓋１２の内縁部の第２位置決めリブ１２１を回して接続部１１２の第１係合溝１１２１に係合させる。これにより、傘２をブッシング組１に収納することができる。
【００１６】
さらに、つなぎ縄１４は弾性部材が用いられているため、ブッシング組１の外部蓋１２とブッシング１１を被せるまたは分離するときに、より大きい移動空間を与えられるほか、外部蓋１２とブッシング１１とを分離するときに、落下または遺失等の問題を防止できる。
【００１７】
図７を参照する。図から明かのように、ブッシング１１の接続部１１２の外縁部に雄ねじ１１２３を設けられおり、外部蓋１２の内縁部に雌ねじ１２２を設けられているため、外部蓋１２は螺合方式によってブッシング１１の接続部１１２に締め付けすることができる。
【符号の説明】
【００１８】
１            ブッシング組
１１          ブッシング
１１１        収容空間
１１２        接続部
１１２１      第１係合溝
１１２２      第１位置決めリブ
１１２３      雄ねじ
１２          外部蓋
１２１        第２位置決めリブ
１２２        雌ねじ
１３          固定シート
１４          つなぎ縄
２            傘
２１          本体
２２          把手
２２１        取付け部
２２１１      第２係合溝
２２２        把持部
【図１】
0003163630.tif 000003
【図２】
0003163630.tif 000004
【図３】
0003163630.tif 000005
【図４】
0003163630.tif 000006
【図５】
0003163630.tif 000007
【図６】
0003163630.tif 000008
【図７】
0003163630.tif 000009